(57)【要約】【課題】使用場所が限定されることなく、板状建築部材を容易に横倒し又は起立させるための携帯式の道具を安価に提供する。【解決手段】上面がほぼ平坦な基体２と、基体２の下面に固着されたゴムからなる滑り防止部材３と、直交する二枚の板状部を有し、同板状部が互いに交差する稜線上に回転軸を有して回転可能に基体２の上面に取り付けられた置き台４と、置き台４の回転軸方向両側に互いにねじれの関係となるように取り付けられて、前記回転の終期における衝撃を吸収する一対のダンパー５、６とを備えることを特徴とする。【選択図】図１
2018115546.tif 000002
【特許請求の範囲】
【請求項１】
上面がほぼ平坦な基体と、
前記基体の下面に固着されたゴムからなる滑り防止部材と、
直交する二枚の板状部を有し、同板状部が互いに交差する稜線上に回転軸を有して回転可能に前記基体の上面に取り付けられた置き台と、
前記置き台の回転軸方向両側に互いにねじれの関係となるように取り付けられて、前記回転の終期における衝撃を吸収する一対のダンパーと
を備えることを特徴とする、板状建築部材の姿勢変換補助具。
【請求項２】
前記二枚の板状部は、互いに異なる厚さを有する、請求項１に記載の板状建築部材の姿勢変換補助具。
【請求項３】
更に、前記回転軸と同方向の軸中心に回転するローラを、前記回転軸を間におく両側の前記基体上面に各々備え、前記二枚の板状部は、厚さ方向に貫通して前記ローラを交差する二面の内側に各々露出させうる孔を有する、請求項１に記載の板状建築部材の姿勢変換補助具。
【発明の詳細な説明】
【技術分野】
【０００１】
この発明は、壁材、羽目板、ドアなどの板状の建築部材を随所で容易に横倒し又は起立させるための携帯式の道具に関する。
【背景技術】
【０００２】
板状の建築部材においては、上端に貼られたラベルに記載の情報の確認、作業のしやすさ、搬送経路における高さ制限等の事情により、横倒し状態から起立状態、又はその逆といった姿勢変換が様々な場所で要請される。従来、この姿勢変換は、全て手作業、又は反転装置（特許文献１−３）によってなされていた。反転装置は、いずれも直交する二面を有する鉛直方向断面Ｌ字形の台を備え、台の内面に建築部材の角を合わせた状態で、二面が交差する稜線を支点として台をモータなどの駆動源で反転させることにより、台に伴って建築部材を反転させるものである。
【先行技術文献】
【特許文献】
【０００３】
【特許文献１】特開２００１−３３５１２７号公報
【特許文献２】特開２００３−２２６４０９号公報
【特許文献３】特開２００５−２４０２９４号公報
【発明の概要】
【発明が解決しようとする課題】
【０００４】
しかし、全て手作業による場合、建築部材の破損防止及び床面・地面等の損傷防止のため、建築部材を持ち上げ、浮かせながら姿勢変換させなければならず、作業者にとって著しい負担となっていた。また、前記反転装置は、モータを組み込んだ据え置き型（特許文献１、３）であったり、フォークリフトとの併用型（特許文献２）であったりするなど、大がかりで多大の費用を要するばかりか、使用場所が限られるという短所を有していた。
それ故、この発明の課題は、使用場所が限定されることなく、板状建築部材を容易に横倒し又は起立させるための携帯式の道具を安価に提供することにある。
【課題を解決するための手段】
【０００５】
その課題を解決するために、この発明の板状建築部材の姿勢変換補助具（以下、単に「補助具」ともいう。）は、
上面がほぼ平坦な基体と、
前記基体の下面に固着されたゴムからなる滑り防止部材と、
直交する二枚の板状部を有し、同板状部が互いに交差する稜線上に回転軸を有して回転可能に前記基体の上面に取り付けられた置き台と、
前記置き台の回転軸方向両側に互いにねじれの関係となるように取り付けられて、前記回転の終期における衝撃を吸収する一対のダンパーと
を備えることを特徴とする。
【０００６】
この発明の補助具を使用するときは、先ず補助具を地面又は床面に置く。置き台は回転軸を支点として回転可能に取り付けられているので、回転軸を境にしていずれか任意の側の基体上面に倒された状態となる。そして、板状建築部材を起立状態又は横倒し状態にし、その一つの角を置き台の内面の角に合わせる。その後、回転軸を支点として建築部材を置き台とともに９０度旋回させることにより、横倒し状態又は起立状態に姿勢変換させる。基体の下面に滑り防止部材が固着されているので、作業者が補助具を支えている必要は無く、両手で建築部材を持つ事が出来る。しかもダンパーが取り付けられているので、旋回速度が大きくても建築部材に大きな衝撃が加わることがない。
【０００７】
この発明の補助具において、前記二枚の板状部は、互いに異なる厚さを有するのが好ましい。これにより、建築部材が載せられていた台車、パレット、りん木等の高さに応じて基体上面における置き台の位置を望む方に選択し、台車、パレット、りん木等から置き台へ又は置き台から台車等への建築部材の移動をしやすくすることができる。
【０００８】
この発明の補助具において別の好ましい構成は、前記回転軸と同方向の軸中心に回転するローラを、前記回転軸を間におく両側の前記基体上面に各々備え、前記二枚の板状部が、厚さ方向に貫通して前記ローラを交差する二面の内側に各々露出させうる孔を有するものである。これにより、建築部材の前記角が置き台の内面上を移動する際の摩擦を減らすことができ、前記角を置き台の内面の角に合わせやすくなる。
【発明の効果】
【０００９】
以上のように、この発明の補助具は、電源も設置作業も要することなく、作業者が建築部材の姿勢変換の必要な場所に携行し、単独で同姿勢変換のために使用することができる。従って、作業者に肉体的にも経済的にも負担をかけることなく作業効率を向上させることができる。
【図面の簡単な説明】
【００１０】
【図１】実施形態の補助具の正面図である。
【図２】同補助具の背面図である。
【図３】同補助具の平面図である。
【図４】同補助具の左側面図である。
【図５】同補助具の右側面図である。
【図６】同補助具の使用状態の正面図である。
【発明を実施するための形態】
【００１１】
実施形態の補助具１は、片手で携行可能な重さと大きさを有し、図１から図５に示すように、上面がほぼ平坦な直方体状の基体２と、基体２の下面全体に固着された一様な厚さのゴムからなる滑り防止シート３と、置き台４と、一対のダンパー５、６と、ローラ７、８とを備える。基体２は、中空でも中実でもよい。基体２の上面の四隅付近には、各々ゴムからなる合計４つのパッド９、９・・が設けられている。
【００１２】
置き台４は、互いに直交して縦断面Ｌ字状をなす第一、第二の二枚の板状部４ａ、４ｂと、これら板状部４ａ、４ｂを挟んでいずれとも直交する側板部４ｃ、４ｄとからなり、これらの板状部が互いに交差する稜線上に回転軸１０を有するヒンジを介して回転可能に基体２の上面中央に取り付けられている。板状部４ａ、４ｂの幅は、基体２の幅から側板部４ｃ、４ｄの厚さを引いた寸法よりも小さく、高さは各々基体２の長さの約半分である。第一の板状部４ａは、第二の板状部４ｂよりも厚い。また、いずれの板状部も厚さ方向に貫通する孔４ｅ、４ｆが設けられている。
【００１３】
ダンパー５、６は、側板部４ｃ、４ｄに互いにねじれの関係となるように取り付けられて、いずれも先端から突き出たロッドが引っ込む方向に反力がかかるもので、各ロッドの軸中心線は平面視で基体２と重なる位置にある。従って、板状部４ｂが立つ方向に置き台４が回転したときに、ダンパー６のロッドの先端が基体２の上面に当たり、その回転の終期における衝撃を吸収し、板状部４ａが立つ方向に置き台４が回転したときはダンパー５が同様に衝撃を吸収する。
【００１４】
ローラ７、８は、回転軸１０を間におく両側の基体２上面であって孔４ｅ、４ｆと対応する位置に、回転軸１０と同方向の軸中心に回転するように各々取り付けられている。ローラ７、８の軸の高さは、基体２の上面を基準としたとき、各々板状部４ａ、４ｂの厚さより僅かに低い。従って、板状部４ａが倒されている状態のときは、ローラ７が孔４ｅから板状部４ａの内側に露出し、板状部４ｂが倒されている状態のときは、ローラ８が孔４ｆから露出する。
【００１５】
補助具１を使用するときは、先ず補助具１を地面又は床面に置く。置き台４は回転軸１０を支点として回転可能に取り付けられているので、正面から眺めて回転軸１０を境にして左右いずれか任意の側の基体２上面に倒された状態となる。通常はどちらに倒されていてもよいが、姿勢変換前に板状建築部材が置かれている高さ位置や、姿勢変換後に置こうとする高さ位置に応じて、置き台４を適当な側に倒しておくとよい。図１では左側に倒された状態が描かれている。そして、パネル、ドアなどの板状建築部材を起立状態又は横倒し状態にし、ローラ７上を滑らせながら、その先頭の角を板状部４ａと板状部４ｂとが交差する内面の角に合わせる。
【００１６】
その後、図６に示すように、回転軸１０を支点として建築部材Ｗを置き台４とともに９０度旋回させることにより、横倒し状態又は起立状態に姿勢変換させる。姿勢変換後の状態が図６に想像線で描かれている。基体２の下面に滑り防止部材３が固着されているので、作業者が補助具１を支えている必要は無く、両手で建築部材Ｗを持つ事が出来る。しかも旋回の終期にはダンパー５のロッドが基体２の上面に当たり、同ロッドの反力によって旋回が弾力的に制動されるので、旋回速度が大きくても建築部材Ｗに大きな衝撃が加わることがない。
【００１７】
以上のように、補助具１は、電源も設置作業も要することなく、作業者が建築部材Ｗの姿勢変換の必要な場所に携行し、単独で同姿勢変換のために使用することができる。しかも、ローラ７、８及びダンパー５、６の存在により、建築部材Ｗを損傷させることなく、姿勢変換させることができる。従って、作業者に肉体的にも経済的にも負担をかけることなく作業効率を向上させることができる。
【符号の説明】
【００１８】
１  補助具
２  基体
３  滑り防止部材
４  置き台
５、６  ダンパー
７、８  ローラ
９  パッド
１０  回転軸
【図１】
2018115546.tif 000003
【図２】
2018115546.tif 000004
【図３】
2018115546.tif 000005
【図４】
2018115546.tif 000006
【図５】
2018115546.tif 000007
【図６】
2018115546.tif 000008